(57)【要約】【課題】外部制御線の配設部から機能ユニットへの異物の侵入を防止し、外部制御線の配設部における異物侵入防止工程を不要にすることを目的とする。【解決手段】負荷を制御する電子式リレー５と、電子式リレー５の入出力接点のそれぞれに接続された接続配線を接続した配線端子台２と、配線端子台２に接続された中継配線８の一端に設けられ外部制御線１０を接続するための配線接続手段３とを備える。配線端子台２は該機能ユニットの前面側に配置され、配線接続手段３は筐体１５に配置された。【選択図】図１
2010252597.tif 000002
【特許請求の範囲】
【請求項１】
箱体に着脱可能に収納され、筐体を有し負荷の制御を行う機能ユニットであって、
前記負荷を制御する電子式リレーと、前記電子式リレーの入出力接点のそれぞれに接続された接続配線を接続した配線端子台と、前記配線端子台に接続された中継配線の一端に設けられ外部制御線と接続するための配線接続手段とを備え、
前記配線端子台は該機能ユニットの正面側に配置され、前記配線接続手段は前記筐体に配置されたことを特徴とする機能ユニット。
【請求項２】
前記配線接続手段は、前記電子式リレーの入出力接点の一部に対応した前記中継配線が接続されたことを特徴とする請求項１記載の機能ユニット。
【請求項３】
前記配線接続手段はコネクタであることを特徴とする請求項１または２記載の機能ユニット。
【請求項４】
前記配線接続手段は、前記箱体に設けられ前記負荷と該機能ユニットとを接続するケーブルを収納するダクト室側に配置されたことを特徴とする請求項１乃至３のいずれか１項に記載の機能ユニット。
【請求項５】
前記箱体に請求項１乃至４のいずれか１項に記載の機能ユニットが複数収納されたことを特徴とするコントロールセンタ。
【発明の詳細な説明】
【技術分野】
【０００１】
この発明は、例えば電動機等の負荷の運転制御や運転状況の監視、警報の発生等を行う機能ユニットおよびコントロールセンタに関するものである。
【背景技術】
【０００２】
従来の機能ユニットは、該機能ユニット内部における正面に制御線接続端子台が配置され、制御線接続端子台に電子式リレーの入出力接点のそれぞれが接続されていた。一般的に、機能ユニットは多数の機能を有している。この多機能性は電子式リレーへの機器の追加や電子式リレー内のラダーシーケンスの変更により実現されている。機能ユニットの所望の機能を使用するために、外部制御線を機能ユニット内部に引き込み、制御線接続端子台の該当する一部の端子に接続していた。
【先行技術文献】
【特許文献】
【０００３】
【特許文献１】特開２００６−２４６６５１号公報（図１）
【発明の概要】
【発明が解決しようとする課題】
【０００４】
しかしながら、従来の機能ユニットは、内部に配置された制御線接続端子台に外部制御線を接続していたので、この外部制御線を引き込むために機能ユニットの筐体の側板に隙間を設けていた。この隙間が開いたままでは、工具等の異物がこの隙間から入り、機能ユニットの電圧が印加されている充電部に接近する恐れがあった。また、工具等の異物の侵入を防ぐために隙間を塞ぐ処理を行う必要があり、機能ユニットの製造工程が長くなる問題があった。
【０００５】
この発明は、外部制御線の配設部から機能ユニットへの異物の侵入を防止し、外部制御線の配設部における異物侵入防止工程を不要にすることを目的とする。
【課題を解決するための手段】
【０００６】
この発明に係る機能ユニットは、負荷を制御する電子式リレーと、電子式リレーの入出力接点のそれぞれに接続された接続配線を接続した配線端子台と、配線端子台に接続された中継配線の一端に設けられ外部制御線と接続するための配線接続手段とを備える。配線端子台は該機能ユニットの正面側に配置され、配線接続手段は筐体に配置された。
【発明の効果】
【０００７】
この発明に係る機能ユニットは、外部制御線の配設部から機能ユニットへ異物が侵入することを防止し、外部制御線の配設部における異物侵入防止工程を不要にすることができる。
【図面の簡単な説明】
【０００８】
【図１】この発明の実施の形態１における機能ユニットを示す正面図である。
【図２】図１の機能ユニットの側面図である。
【図３】図１の機能ユニットが収納されたコントロールセンタを示す斜視図である。
【発明を実施するための形態】
【０００９】
実施の形態１．
図１はこの発明の実施の形態１における機能ユニットを示す正面図であり、図２は機能ユニットの側面図であり、図３は機能ユニットが収納されたコントロールセンタを示す斜視図である。コントロールセンタ２０は、箱体２１に複数の機能ユニット１が収納される。機能ユニット１は工場などに設置された電動機等の負荷の運転制御や運転状況の監視、警報の発生等を行う。
【００１０】
箱体２１は、機能ユニット１を収納するユニット室の正面にユニット室扉２１ａを有し、機能ユニット１と負荷を接続する外部制御線１０や電力ケーブル（図示せず）、負荷の監視情報を伝送するケーブル（図示せず）などを収納するダクト室２１ｂの正面にダクト室扉２１ｃを有する。機能ユニット１の正面側には配線用遮断器４の操作ハンドルと電子式リレー５の表示器が配置される。
【００１１】
機能ユニット１の筐体１５を構成する天板１６及び側板１７にベース９が取り付けられる。ベース９の正面に配線用遮断器４、電磁開閉器１１、配線端子台２が配置される。配線用遮断器４、電磁開閉器１１は、電動機等の負荷に電力を供給する主回路を構成し、電子式リレー５は制御回路を構成する。主回路及び制御回路は負荷を制御する。
【００１２】
配線用遮断器４は、その電源側端子４ａがコントロールセンタ２０に設けられた三相交流配線である母線（図示せず）に接続される接触子６と主回路配線（図示せず）で接続され、その負荷側端子４ｂが電磁開閉器１１の電源側端子１１ａと主回路配線（図示せず）で接続される。電磁開閉器１１の負荷側端子１１ｂには電動機等の負荷に給電する電力ケーブル（図示せず）が接続される。
【００１３】
電子式リレー５は、その表示器が機能ユニット１の正面に向くように筐体１５の天板１６に取り付けられる。電子式リレー５の入出力接点は、それぞれ配線端子台２の電子リレー側端子に接続配線で接続される。
【００１４】
配線端子台２は電子リレー側端子に接続された外部側端子を有し、この外部側端子と側板１７に配置された接続手段であるコネクタ３とを中継配線８で接続している。機能ユニット１をコントロールセンタ２０の箱体２１に収納した後に外線コネクタ７に接続された外部制御線１０を接続する。
【００１５】
電子式リレー５は簡易プログラムであるラダーシーケンスを変更することで、容易に回路構成を変更することができる。また電子式リレー５は多数の入出力接点を有しており、この入出力接点に電流センサ等の監視機器、警報機器やリレーなどを接続し、各種の制御機能や監視機能を実現する。
【００１６】
実施の形態１の機能ユニット１は筐体１５の側板１７に外部制御線１０を接続する接続手段であるコネクタ３を配置したので、外部制御線１０を機能ユニット１の内部の配線端子台２に引き込むための隙間を設ける必要がない。したがって外部制御線１０の配設部から機能ユニットへ異物が侵入することを防止し、外部制御線１０の配設部における異物侵入防止工程を不要にすることができる。
【００１７】
ユーザー毎の仕様に従って配線端子台２の一部に対応する端子だけを中継配線８でコネクタ３に接続し、コネクタ３の端子の数を少なくしたので、ユーザーは機能ユニット１のコネクタ３に外部制御線１０を接続するだけで外部制御線１０の結線を完了することができる。したがって、実施の形態１の機能ユニット１は、電子式リレー５の全ての接点に接続された制御線接続端子台の所定の外部側端子を確認しながら接続していた従来と異なり、外部制御線１０の結線を容易にすることができる。コネクタ３を使用することで、一括接続でき、外部制御線１０の結線を容易にすることができる。
【００１８】
機能ユニット１のコネクタ３はコントロールセンタ２０のダクト室２１ｂ側に配置したので、ユーザーはダクト室２１ｂに設置した外部制御線１０を容易に機能ユニット１のコネクタ３に接続することができる。外部制御線１０をダクト室２１ｂからユニット室の奥へ引き込まないので、外部制御線１０の長さを短くすることができる。また、外部制御線１０と電力ケーブルや他の機能ユニット１の外部制御線１０及び電力ケーブルとの整線が容易にできる。
【００１９】
電子式リレー５の全ての入出力接点を配線端子台２の電子リレー側端子に接続したので、機能を限定して使用するユーザーの仕様に関わらず、機能ユニット１の構成をコネクタ３から配線端子台２までを除いて共通にできる。したがってユーザーの仕様に関わる部分を少なくしたので、機能ユニット１の製造を容易に、正確にかつ短時間での製造ができる。
【００２０】
電子式リレー５の全ての入出力接点を配線端子台２の電子リレー側端子に接続したので、コネクタ３から配線端子台２までを除いて共通構成の中間体を製造した後に、配線端子台２とコネクタ３とを中継配線８で容易に接続することができる。
【００２１】
実施の形態１のコントロールセンタ２０は、機能ユニット１にコネクタ３を配置したので、外部制御線１０の配設部から機能ユニットへ異物が侵入することを防止し、外部制御線の配設部における異物侵入防止工程を不要にすることができる。ユーザーは機能ユニット１のコネクタ３に外部制御線１０を接続するだけで外部制御線１０の結線を完了することができる。機能ユニット１の接続手段としてコネクタ３を適用することで、一括接続でき、外部制御線１０の結線を容易にすることができる。機能ユニット１のコネクタ３はコントロールセンタ２０のダクト室２１ｂ側に配置したので、ユーザーはダクト室２１ｂに設置した外部制御線１０を容易に機能ユニット１のコネクタ３に接続することができる。
【００２２】
以上のように、この発明の実施の形態１における機能ユニット１によれば、負荷を制御する電子式リレー５と、電子式リレー５の入出力接点のそれぞれに接続された接続配線を接続した配線端子台２と、配線端子台２に接続された中継配線８の一端に設けられ外部制御線１０を接続するための配線接続手段３とを備え、配線端子台２は該機能ユニット１の正面側に配置され、配線接続手段３は筐体１５に配置されたので、外部制御線１０の配設部から機能ユニットへ異物が侵入することを防止し、外部制御線１０の配設部における異物侵入防止工程を不要にすることができる。
【００２３】
この発明の実施の形態１におけるコントロールセンタ２０によれば、複数収納された機能ユニット１が、負荷を制御する電子式リレー５と、電子式リレー５の入出力接点のそれぞれに接続された接続配線を接続した配線端子台２と、配線端子台２に接続された中継配線８の一端に設けられ外部制御線１０を接続するための配線接続手段３とを備え、配線端子台２は該機能ユニット１の正面側に配置され、配線接続手段３は筐体１５に配置されたので、外部制御線１０の配設部から機能ユニットへ異物が侵入することを防止し、外部制御線１０の配設部における異物侵入防止工程を不要にすることができる。
【００２４】
なお、コネクタ３に接続する配線端子台２の外部側端子として、電子式リレー５の全入出力接点の一部を接続する例で説明したが、電子式リレー５の全入出力接点をコネクタ３に接続してもよい。この場合は、コントロールセンタ２０の設置後にユーザー側で制御機器や監視機器等の追加設置や変更を容易にすることができる。
【００２５】
コネクタ３は、筐体１５の側板１７に限らず、筐体１５のいずれの場所に配置されもよい。コネクタ３は、ダクト室２１ｂ側に向いている場合に限らず、ダクト室２１ｂに近接した筐体１５の場所に配置されても構わない。この場合でも、ユーザーはダクト室２１ｂに設置した外部制御線１０を容易に機能ユニット１のコネクタ３に接続することができる。
【００２６】
また筐体１５に配置した接続手段として配線端子台２を使用しても構わない。接続手段は、筐体１５の側板１７に限らず、筐体１５のいずれの場所に配置されもよい。
【産業上の利用可能性】
【００２７】
この発明に係る機能ユニットは、外部制御線１０の配設部から機能ユニットへ異物が侵入することを防止し、外部制御線１０の配設部における異物侵入防止工程を不要にすることができるので、機能ユニットを収納するコントロールセンタ等の盤装置に好適に適用できる。
【符号の説明】
【００２８】
１  機能ユニット              ２  配線端子台
３  コネクタ                  ５  電子式リレー
８  中継配線                  １０  外部制御線
１５  筐体                    ２０  コントロールセンタ
２１  箱体                    ２１ｂ  ダクト室
【図１】
2010252597.tif 000003
【図２】
2010252597.tif 000004
【図３】
2010252597.tif 000005